(57)【特許請求の範囲】
【請求項１】
化粧パネルと、前記化粧パネルを壁面に固定する押え縁とを備えた化粧部材キットであって、
前記化粧パネルは、平板状のパネル本体と、前記パネル本体の一面に貼付される化粧シートと、を有し、前記化粧シートは、内側となる樹脂製の基層と、前記基層の表面に模様を印刷した印刷層と、前記印刷層を覆う透明樹脂製の保護層と、を含み、前記模様が、木壁、竹壁、石壁、又は土壁の実物を写真撮影して得られた画像からなり、
前記押え縁は、前記化粧パネルの端縁を支持するとともに壁面に固着される長尺状の押え縁本体と、前記押え縁本体を目隠しするとともに前記化粧パネルの表面より突出するよう設けられる複数の縁カバーと、を有し
前記押え縁本体は、その長手方向に平行に延びるよう設けられた、前記縁カバーを係合するための４本の係合条を含み、前記４本の係合条を前記押え縁本体の幅方向の一端から順に第１係合条、第２係合条、第３係合条、及び第４係合条とすると、第１係合条と第３係合条が同形状をなし、第２係合条と第４係合条が同形状をなしており、
前記複数の縁カバーは、前記第１係合条と前記第２係合条に係合する縁カバーと、前記第３係合条と前記第４係合条に係合する縁カバーと、前記第１係合条と前記第４係合条に係合する縁カバーとを含むことを特徴とする化粧部材キット。
【請求項２】
前記化粧パネルは、前記模様が木壁、又は竹壁を写真撮影して得られた画像からなり、
前記保護層の表面に、木、又は竹の繊維を表現する多数の平行なライン状エンボス加工を有する請求項１に記載の化粧部材キット。
【請求項３】
前記化粧パネルは、前記模様が石壁、又は土壁を写真撮影して得られた画像からなり、
前記保護層の表面に、石、又は土の粒子を表現する多数の点状エンボス加工を有する請求項１に記載の化粧部材キット。
【請求項４】
化粧パネルと、前記化粧パネルを壁面に固定する押え縁とを備えた化粧部材キットであって、
前記化粧パネルは、平板状のパネル本体と、前記パネル本体の一面に貼付される化粧シートと、を有し、前記化粧シートは、内側となる樹脂製の基層と、前記基層の表面に模様を印刷した印刷層と、前記印刷層を覆う透明樹脂製の保護層と、を含み、前記模様が、木壁、竹壁、石壁、又は土壁の実物を写真撮影して得られた画像からなり、
前記押え縁は、前記化粧パネルの端縁を支持するとともに壁面に固着される長尺状の押え縁本体と、前記押え縁本体を目隠しするとともに前記化粧パネルの表面より突出するよう設けられる縁カバーと、を有し
前記押え縁本体は、樋状の長尺状部材からなり、底壁と、底壁の幅方向の両端縁に底壁に対し垂設され化粧パネルの端面に当接する化粧パネル端面当接壁と、化粧パネル端面当接壁に連続し底壁に対し平行に設けられ化粧パネル端部の外面を押さえつける化粧パネル外面押圧壁と、化粧パネル外面押圧壁の幅方向の外側端縁に連続して化粧パネル外面押圧壁に垂直に前記底壁と反対方向に延出し前記縁カバーに係合する係合用壁とを備え、
前記係合用壁は、前記押え縁本体の幅方向の内側となる内面に係合凸条を有し、
前記縁カバーは、半筒形状をなす外壁と、前記外壁の内側にその長手方向に延びるよう設けられ断面が略Ｌ字のリブ状に形成された係止用リブとを備え、前記係止用リブは、前記外壁の内面から前記外壁の幅方向に平行に前記外壁の内側へ延出する基部と前記基部の先端縁から前記外壁の開口側へ前記基部に垂直に延出する係合用壁とを有し、前記係合用壁の先端部には、前記縁カバーの幅方向の外側となる面に前記押え縁本体の係合凸条に係合する縁カバーの係合凸条が設けられ、
前記縁カバーは、外壁の開口側端縁を外側から指でつまんで前記縁カバーの係合凸条を内側へ撓ませ、前記押え縁本体から取り外し可能なことを特徴とする化粧部材キット。
【発明の詳細な説明】
【技術分野】
【０００１】
この発明は、家屋の内壁や外壁、天井等に貼設する化粧パネルと、該化粧パネルを設置面に固定する押え縁と、この化粧パネルと押え縁を備えた化粧部材キットに関する。
【背景技術】
【０００２】
近年、店舗や家屋用の建材として、竹や木目を印刷した化粧シートに立体感を持たせるため、凹凸を設けた基材に化粧シートを貼着した化粧パネルが各種提案され、例えば、特許文献１には、竹垣状に凹凸を設けたパネル本体に、竹垣様の模様を付した「合成樹脂製古竹垣パネル」が提案され、特許文献２には、板塀を形成する長板を幅方向に凹凸を繰り返す波型に形成し、該凹凸の延びる方向に不平行な明暗模様を施した「建築用パネル」が提案されている。
【０００３】
ところが、特許文献１や特許文献２に記載のパネルは、パネル本体の凹凸により切断加工や壁への貼設に手間がかかるという課題がある。
【先行技術文献】
【特許文献】
【０００４】
【特許文献１】特開２００２−３４９０９９号公報
【特許文献２】特開２００７−７０９７５号公報
【発明の概要】
【発明が解決しようとする課題】
【０００５】
本発明は、上記課題に鑑みてなされたものであり、加工や貼設に手間がかからず、かつ立体感を十分に醸し出すことが可能な化粧パネル、押え縁、及び化粧部材キットの提供を目的とする。
【課題を解決するための手段】
【０００６】
上記課題を解決するためになされた発明は、化粧パネルと、前記化粧パネルを壁面に固定する押え縁とを備えた化粧部材キットであって、前記化粧パネルは、平板状のパネル本体と、前記パネル本体の一面に貼付される化粧シートと、を有し、前記化粧シートは、内側となる樹脂製の基層と、前記基層の表面に模様を印刷した印刷層と、前記印刷層を覆う透明樹脂製の保護層と、を含み、前記模様が、木壁、竹壁、石壁、又は土壁の実物を写真撮影して得られた画像からなる。
【０００７】
このように、本発明の化粧部材キットでは、化粧パネルが、平板状のパネル本体に化粧シートを貼設した構成を有するため、切断加工や壁への取り付けが容易である。また、化粧シートの模様が、木壁、竹壁、石壁、又は土壁の実物を写真撮影した画像からなるため、パネル本体が平板状でありながら、十分に立体感を醸し出すことができる。
尚、ここで「木壁、竹壁、石壁、又は土壁」とは、地面に垂直な壁に限らず、天井壁や床壁を含むものとする。
【０００８】
また、本発明の化粧部材キットは、前記押え縁が、前記化粧パネルの端縁を支持するとともに壁面に固着される長尺状の押え縁本体と、前記押え縁本体を目隠しするとともに前記化粧パネルの表面より突出するよう設けられる複数の縁カバーと、を有している。
このように、押え縁本体が、縁カバーにより目隠しされることで、縁カバーが見えることによるリアリティーの減少を抑制することができる。また、縁カバーを実際に化粧パネルの表面より突出するよう設けることで、見る者が、壁面の画像も実際に凹凸を有するかのように錯覚を起こすため、化粧パネルにより立体感を持たせることができる。
尚、縁カバーに、化粧パネルに同調した模様を施すことにより、壁面の模様の全体の風合いを統一して意匠性を高めることができる。
【０００９】
そして、本発明の化粧部材キットは、前記押え縁本体が、その長手方向に平行に延びるよう設けられた、前記縁カバーを係合するための４本の係合条を含み、前記４本の係合条を前記押え縁本体の幅方向の一端から順に第１係合条、第２係合条、第３係合条、及び第４係合条とすると、第１係合条と第３係合条が同形状をなし、第２係合条と第４係合条が同形状をなしており、前記複数の縁カバーは、前記第１係合条と前記第２係合条に係合する縁カバーと、前記第３係合条と前記第４係合条に係合する縁カバーと、前記第１係合条と前記第４係合条に係合する縁カバーとを含むことを特徴とする。
こうすることで、第１係合条と第２係合条を使って細い１本の縁カバーを係止し第３係合条と第４係合条を使って同じく細い縁カバーを係止して合わせて細い２本の縁カバーを係止したり、第１係合条と第４係合条を使って１本の太い縁カバーを係止したりできるため、押え縁本体の種類を増やすことなく、壁面の意匠を多様に構成することができる。
【００１０】
前記化粧パネルは、前記模様が木壁、又は竹壁を写真撮影して得られた画像からなり、
前記保護層の表面に、木、又は竹の繊維を表現する多数の平行なライン状エンボス加工を有することが好ましい。こうすることで、ライン状エンボス加工に反射する光により、実物の竹壁や木壁の表面により近い質感を醸し出すことができる。
【００１１】
前記化粧シートの模様が、石壁、又は土壁を写真撮影して得られた画像からなる場合は、前記保護層の表面に、石、又は土の粒子を表現する多数の点状エンボス加工を有することが好ましい。こうすることで、天井エンボス加工に反射する光により、実物の石壁や土壁の表面により近い質感を醸し出すことができる。
【００１２】
本発明は、化粧パネルと、前記化粧パネルを壁面に固定する押え縁とを備えた化粧部材キットであって、前記化粧パネルが、平板状のパネル本体と、前記パネル本体の一面に貼付される化粧シートと、を有し、前記化粧シートは、内側となる樹脂製の基層と、前記基層の表面に模様を印刷した印刷層と、前記印刷層を覆う透明樹脂製の保護層と、を含み、前記模様が、木壁、竹壁、石壁、又は土壁の実物を写真撮影して得られた画像からなり、
前記押え縁は、前記化粧パネルの端縁を支持するとともに壁面に固着される長尺状の押え縁本体と、前記押え縁本体を目隠しするとともに前記化粧パネルの表面より突出するよう設けられる縁カバーと、を有し、前記押え縁本体が、樋状の長尺状部材からなり、底壁と、底壁の幅方向の両端縁に底壁に対し垂設され化粧パネルの端面に当接する化粧パネル端面当接壁と、化粧パネル端面当接壁に連続し底壁に対し平行に設けられ化粧パネル端部の外面を押さえつける化粧パネル外面押圧壁と、化粧パネル外面押圧壁の幅方向の外側端縁に連続して化粧パネル外面押圧壁に垂直に前記底壁と反対方向に延出し前記縁カバーに係合する係合用壁とを備え、当該係合壁が以下の特徴を有するものを含む。
【００１３】
即ち、当該係合用壁は、前記押え縁本体の幅方向の内側となる内面に係合凸条を有し、前記縁カバーは、半筒形状をなす外壁と、前記外壁の内側にその長手方向に延びるよう設けられ断面が略Ｌ字のリブ状に形成された係止用リブとを備え、前記係止用リブは、前記外壁の内面から前記外壁の幅方向に平行に前記外壁の内側へ延出する基部と前記基部の先端縁から前記外壁の開口側へ前記基部に垂直に延出する係合用壁とを有し、前記係合用壁の先端部には、前記縁カバーの幅方向の外側となる面に前記押え縁本体の係合凸条に係合する縁カバーの係合凸条が設けられ、前記縁カバーは、外壁の開口側端縁を外側から指でつまんで前記縁カバーの係合凸条を内側へ撓ませ、前記押え縁本体から取り外し可能であることを特徴とする。
【発明の効果】
【００１４】
以上説明したように、本発明の化粧パネル、押え縁、又は化粧部材キットによれば、加工や貼設に手間をかけずに、立体感を十分に醸し出すことが可能である。
【図面の簡単な説明】
【００１５】
【図１】本発明の第１実施形態に係る化粧部材キットの一部を分解して示した斜視図である。
【図２】本発明の第１実施形態に係る化粧パネルの模式的断面図である。
【図３】図１に示した化粧部材キットの押え縁周辺を示す側面図である。
【図４】図３に示した押え縁の縁カバーの外壁を幅方向の外側から押さえつけて変形させた様子を示す側面図である。
【図５】本発明の第２実施形態に係る化粧部材キットの一部を分解して示した斜視図である。
【図６】図５に示した化粧部材キットの押え縁周辺を示す側面図である。
【図７】本発明の第３実施形態に係る化粧部材キットの一部を分解して示した斜視図である。
【図８】図７に示した化粧部材キットの押え縁周辺を示す側面図である。
【図９】本発明の第４実施形態に係る化粧部材キットの一部を分解して示した斜視図である。
【図１０】本発明の第５実施形態に係る化粧部材キットの一部を分解して示した斜視図である。
【発明を実施するための形態】
【００１６】
以下、適宜図面を用いながら本発明の実施形態について詳述する。ただし、本発明は、以下の実施形態に限定されるものではない。
（第１実施形態）
図１は、本発明の第１実施形態に係る化粧部材キット１００を示している。化粧部材キット１００は、化粧パネル１０と、押え縁２０と、を備えている。
【００１７】
化粧パネル１０は、図２に示すように、パネル本体１１とパネル本体１１の表面に化粧シート１２が貼着されて形成される。パネル本体１１は、樹脂製の芯材１１ａと、芯材１１ａの両面に貼付される補強板１１ｂとを有している。
【００１８】
芯材１１ａとしては、特に限定されず、公知の樹脂を適宜用いることができ、発泡ポリエチレン等の発泡樹脂を好ましく用いることができる。
【００１９】
補強板１１ｂとしては、芯材１１ａを補強するのに十分な強度を有する板材であれば特に限定されず、樹脂板や金属板の他公知の材料を適宜用いることができ、軽くて加工性に富むアルミニウム板が好ましい。
【００２０】
化粧シート１２は、塩化ビニール等の軟質樹脂からなる基層１２ａと、基層１２ａの外面にグラビア印刷により設けられる印刷層１２ｂと、アクリル樹脂等の透明樹脂からなり印刷層１２ｂを覆う保護層１２ｃとを備えている。
【００２１】
印刷層１２ｂには、竹を平たく手打ちで割りのばしたいわゆる竹ひしぎを用いた竹壁の実物をスキャナーで撮影した写真（図１参照）が印刷されている。そして、保護層１２ｃの外面には、竹の長手方向に沿って、平行な多数のライン状のエンボス加工１２ｄが施される。印刷層１２ｂとしては、竹壁の他、木壁、石壁、又は土壁の画像を用いることができ、木壁の画像を模様として用いる場合は、保護層１２ｃに竹壁同様の平行な多数のライン状のエンボス加工１２ｄが施され、石壁や土壁の画像を用いる場合には、保護層１２ｂに多数の点状のエンボス加工１２ｄが施される。
【００２２】
押え縁２０は、図１、図３に示すように、長尺状の押え縁本体３０と、押え縁本体３０を目隠しする縁カバー４０とを備えている。
【００２３】
押え縁本体３０は、アルミニウムを押出し成形した略樋状の長尺状部材からなり、図３に示すように、底壁３１と、底壁３１の幅方向の両端縁に底壁３１に対し垂設され化粧パネル１０の端面に当接する化粧パネル端面当接壁３２と、化粧パネル端面当接壁３２に連続し底壁３１に対し平行に設けられ化粧パネル１０端部の外面を押さえつける化粧パネル外面押圧壁３３と、化粧パネル外面押圧壁３３の幅方向の外側端縁に連続して化粧パネル外面押圧壁３３に垂直に底壁３１と反対方向に延出する係合用壁３４とを備えている。
そして、押え縁本体３０は、化粧パネル１０を貼設する壁面Ａに木ネジ等で底壁３０を固定することにより壁面Ａに固着されるとともに化粧パネル外面押圧壁３３により化粧パネル１０の端縁を支持する。
また、押え縁本体３０の係合用壁３４端縁の開口部３５側の端縁部の内面には、後述する縁カバー４０の係合凸条４４ａに係合する係合凸条３４ａを有している。
【００２４】
縁カバー４０は、略半円筒形状をなす外壁４１と、外壁４１の内側に設けられる断面が略Ｌ字のリブ状に形成された係止用リブ４２とを備えている。係止用リブ４２は、外壁４１の内面から外壁４１の幅方向に平行に外壁４１の内側へ延出する基部４３と基部４３の先端縁から外壁４１の開口側へ基部４３に垂直に延出する係合用壁４４とを備えている。係合用壁４４の先端部には、縁カバー４０の幅方向の外側となる面に押え縁本体３０の係合凸条３４ａに係合する係合凸条４４ａが設けられている。
【００２５】
縁カバー４０の外壁４１の外面には、竹を写真撮影して得られた模様が付された化粧シートが樹脂接着剤により貼付されている。
【００２６】
第１実施形態の化粧部材キット１００を壁Ａに貼設する場合は、図３に示すように、化粧パネル１０を壁Ａの所望の位置に接着剤で仮止めし、次に押え縁本体３０の一方の化粧パネル外面押圧壁３３により化粧パネル１０の端縁の外面を押さえつけるようにして、底壁３１を壁Ａに木ネジ（不図示）等で固定する。しかる後、押え縁本体３０の係合用壁３４の係合凸条３４ａに縁カバー４０の係合用壁４４の係合凸条４４ａを係合させるようにして、押え縁本体３０に縁カバー４０を取り付ける。
【００２７】
図４に示すように、縁カバー４０の外壁４１の開口側端縁４１ａは、外側から指でつまむと、係合凸条４４ａの高さ程度内側へ撓ませることができ、縁カバー４０を押え縁本体３０から取り外す際には、外壁４１の両方の開口側端縁４１ａを外側から指でつまむことで、容易に縁カバー４０をスライドさせたり押え縁本体３０から取り外すことができる。
【００２８】
壁Ａに設置した化粧パネル１０は、竹壁の実物をスキャナーで撮影した写真が印刷されているため、十分な凹凸感を醸し出すことができる。また、縁カバー４０は、本物の竹同様半円筒状をなすとともに外壁４１に竹の写真が付されているため本物の竹のように見える。さらに、押え縁２０が化粧パネル１０の表面より突出していることにより、押え縁２０の実際の影が化粧パネル１０の表面に差し掛かることで、化粧パネル１０の模様の影と実際の影との区別がつかなくなり、より一層、化粧パネルの模様が実物であるように錯覚しやすくなる。こうして、化粧パネル１０と縁カバー４０の模様が相俟って、壁面に設けられた化粧部材キット１００は、本物の竹壁のように見える。
【００２９】
（第２実施形態）
図５は、本発明の第２実施形態に係る化粧部材キット２００を示している。化粧部材キット２００は、化粧パネル１０と押え縁２２０とを備えている。尚、第２実施形態以下の実施形態で第１実施形態と共通する部材については、第１実施形態と同一符号を付して説明を省略する。
【００３０】
押え縁２２０は、図５、図６に示すように、押え縁本体２３０と、２本の縁カバー４０，４０とを備えている。押え縁本体２３０は、図６に示すように、底壁２３１と、底壁２３１の幅方向の両端縁から底壁２３１に垂直に延出する化粧パネル端面当接壁２３２，２３２と、化粧パネル端面当接壁２３２，２３２の先端縁に対し連続かつ垂直に設けられる第１の化粧パネル外面押圧壁２３３，及び第２の化粧パネル外面押圧壁２３４と、第１の化粧パネル外面押圧壁２３３、及び第２の化粧パネル外面押圧壁２３４の両端縁から延出する４本の係合用壁２３５，２３６，２３７，２３８と、を備えている。第１の化粧パネル外面押圧壁２３３の両端の一対の係合用壁２３５，２３６は、先端部の互いに対向する面側にそれぞれ第１係合条２３５ａ，第２係合条２３６ａを有し、第２の化粧パネル外面押圧壁２３４の両端の一対の係合用壁２３７，２３８も、同様に、第３係合条２３７ａ，第４係合条２３８ａをそれぞれ有している。
第１係合条２３５ａと第３係合条２３７ａ、及び第２係合条２３６ａと第４係合条２３８ａはそれぞれ同じ大きさで同形状をなし同じ方向に突出している。
押え縁本体２３０は、化粧パネル１０を貼設する壁面Ａに木ネジ（不図示）等で底壁２３１を固定することにより壁面Ａに固着されるとともに化粧パネル外面押圧壁２３３，３４により化粧パネル１０の端縁を支持する。
【００３１】
一対の縁カバー４０，４０は、図６に示すように、それぞれ第１係合条２３５ａと第２係合条２３６ａ、第３係合条２３７ａと第４係合条２３８ａに係合している。
【００３２】
（第３実施形態）
図７は、本発明の第３実施形態に係る化粧部材キット３００を示している。壁面化粧キット３００は、化粧パネル１０と、押え縁３２０とを備え、押え縁３２０は、縁カバー３４０と、第２実施形態と同じ押え縁本体２３０とを有している。
【００３３】
縁カバー３４０は、図７、図８に示すように、長手方向に垂直な断面が略円弧上をなす外壁３４１と、外壁３４１の内面に設けられる断面略Ｌ時の一対の係止用リブ３４２，３４２を備えている。縁カバー３４０は、一対の係止用リブ３４２，３４２の係合用壁３４４に設けられた係合凸条３４４ａを、押え縁本体２３０の第１係合条２３５ａと第４係合条２３８ａに係合することにより、押え縁本体２３０に取着される。
【００３４】
このように、押え縁本体２３０は、第１係合条２３５ａと第３係合条２３６ａ、第２係合条２３６ａと第４係合条２３８ａが同形状をなすとともに同方向に突出することから、第２実施形態のように２本の細い縁カバー４０を取着することができるし、第３実施形態のように、１本の太い縁カバー３４０を取着することもできる。尚、各係合条は凸条に限らず凹条でもよい。
【００３５】
（第４、第５実施形態）
図９、図１０は、それぞれ本発明の第４、第５実施形態に係る化粧部材キット４００、５００を示している。第４実施形態に係る押え縁４２０の縁カバー４４０には、竹の模様が付されており、第５実施形態に係る押え縁５２０の縁カバー５４０は、表面に板材を模した模様が付されるとともに、板材表面の亀裂を模した凹条が設けられている。押え縁４２０と押え縁５２０は共通する押え縁本体４３０を用いており、縁カバーを交換することで、第４実施形態と第５実施形態の異なる２つの意匠からなる壁面を形成できる。
【産業上の利用可能性】
【００３６】
本発明の化粧パネル、押え縁、及び化粧部材キットは、現物の竹壁、板壁、石壁及び土壁の立体感を十分に醸し出すことができるため、これらの壁の実物と同様の外観を必要とする店舗や家屋に好適に採用できる。
【符号の説明】
【００３７】
１００，２００，３００，４００，５００  化粧部材キット
１０  化粧パネル
１１  パネル本体
１１ａ  芯材
１１ｂ  補強板
１２  化粧シート
１２ａ  基層
１２ｂ  印刷層
１２ｃ  保護層
１２ｄ  エンボス加工
２０，２２０，３２０，４２０，５２０  押え縁
３０，２３０，４３０  押え縁本体
４０，３４０，４４０，５４０  縁カバー
２３５ａ  第１係合条
２３６ａ  第２係合条
２３７ａ  第３係合条
２３８ａ  第４係合条
【図１】
0006265854.tif 000002
【図２】
0006265854.tif 000003
【図３】
0006265854.tif 000004
【図４】
0006265854.tif 000005
【図５】
0006265854.tif 000006
【図６】
0006265854.tif 000007
【図７】
0006265854.tif 000008
【図８】
0006265854.tif 000009
【図９】
0006265854.tif 000010
【図１０】
0006265854.tif 000011